(57)【要約】【課題】極めて高いシールド効果を安価に実現できるチューナ装置のシールド構造を提供すること。【解決手段】回路基板２を収納・保持する板金製のシールドケース３の一側板５ａにＲＦコネクタ４が横向きに突設されているチューナユニット１と、シールドケース３を覆う板金製のアウターケース１０とを備えたチューナ装置において、アウターケース１０は、シールドケース３の枠体５に取り付けられた段階で箱形に組み立てられる。すなわち、アウターケース１０はケース部材１１とプレート部材１２とからなり、貫通孔１２ａにＲＦコネクタ４を挿通させたプレート部材１２を一側板５ａに重ね合わせて枠体５に取り付けた後、シールドケース３に外挿したケース部材１１をプレート部材１２に連結させると共に、このケース部材１１を枠体５に取り付ける。枠体５には取付片５ｂや規制突片５ｃが形成されており、ケース部材１１には連結片１１ａや規制突片１１ｃが形成されている。【選択図】図２
2010225655.tif 000002
【特許請求の範囲】
【請求項１】
チューナ回路が設けられた回路基板と、この回路基板を収納して保持する板金製のシールドケースと、このシールドケースの一側板に固着されて外方へ突出すると共に前記チューナ回路と電気的に接続されたＲＦコネクタとを備えたチューナ装置のシールド構造であって、
前記シールドケースをその下面部および前記一側板を除いて覆う板金製のケース部材と、前記ＲＦコネクタを貫通させる貫通孔を有して前記シールドケースの前記一側板を覆う板金製のプレート部材とを連結してなる箱形のアウターケースを備え、このアウターケースを前記シールドケースに一体化させたことを特徴とするチューナ装置のシールド構造。
【請求項２】
請求項１の記載において、前記シールドケースには前記一側板に隣接する側板の長手方向両端に取付片が突設されており、前記プレート部材に設けられた第１のスリットに一方の前記取付片を挿通してかしめることによって該プレート部材と前記シールドケースとが一体化されていると共に、前記ケース部材に設けられた第２のスリットに他方の前記取付片を挿通してかしめることによって該ケース部材と前記シールドケースとが一体化されていることを特徴とするチューナ装置のシールド構造。
【請求項３】
請求項２の記載において、前記シールドケースが前記取付片の基端部の上縁近傍と下縁近傍にそれぞれ規制突片を有し、これら規制突片が前記第１のスリットまたは前記第２のスリットの上下両端部に係合可能に挿入されていることを特徴とするチューナ装置のシールド構造。
【請求項４】
請求項１〜３のいずれか１項の記載において、前記ケース部材には前記プレート部材に隣接して配置される側板の長手方向一端に連結片が突設されており、前記プレート部材に設けられた第３のスリットに前記連結片を挿通してかしめることによって該プレート部材と前記ケース部材とが連結されていることを特徴とするチューナ装置のシールド構造。
【請求項５】
請求項４の記載において、前記ケース部材が前記連結片の基端部の上縁近傍と下縁近傍にそれぞれ規制突片を有し、これら規制突片が前記第３のスリットの上下両端部に係合可能に挿入されていることを特徴とするチューナ装置のシールド構造。
【請求項６】
請求項１〜５のいずれか１項の記載において、前記アウターケースの下端部に複数の脚片を垂設し、これら脚片がマザーボードに固定されるようにしたことを特徴とするチューナ装置のシールド構造。
【請求項７】
請求項６の記載において、前記シールドケースと前記アウターケースの一体品は、前記アウターケースの前記脚片のみによって前記マザーボードに固定されるようにしたことを特徴とするチューナ装置のシールド構造。
【請求項８】
請求項１〜７のいずれか１項の記載において、前記アウターケースの下端部に内方へ折り曲げられた平坦部を形成し、マザーボード側の接地パターン上に前記平坦部が搭載されるようにしたことを特徴とするチューナ装置のシールド構造。
【請求項９】
請求項１〜８のいずれか１項の記載において、前記プレート部材の前記貫通孔の周縁部を前記ＲＦコネクタにかしめつけると共に、前記貫通孔の周縁部と前記ＲＦコネクタとを半田接合したことを特徴とするチューナ装置のシールド構造。
【発明の詳細な説明】
【技術分野】
【０００１】
本発明は、回路基板を収納するシールドケースの一側板にＲＦコネクタが突設されているチューナ装置のシールド構造に係り、特に、回路基板に配設されたチューナ回路を電磁的に厳重にシールドする必要性のあるチューナ装置のシールド構造に関する。
【背景技術】
【０００２】
ユニット化されたチューナ装置において、高周波信号を受信するチューナ回路が設けられた回路基板は、板金製のシールドケース内に収納することによって電磁ノイズの飛び込みや飛び出しを軽減している。また、シールドケースの一側板にＲＦコネクタを横向きに突設することによって、チューナ装置を大幅に薄型化することができる。この種のチューナ装置に用いられるシールドケースは、一般的に、矩形状等に組み立てられた枠体（シールド枠）と、この枠体の内部空間を仕切る仕切り板（シールド板）と、枠体の上部開口と下部開口をそれぞれ蓋閉する上カバーおよび下カバーとによって構成されている。枠体と仕切り板は１枚の金属板を折り曲げて形成されることが多く、枠体の一側板にはＲＦコネクタがかしめ等により固定されて外方へ突出している。回路基板は枠体や仕切り板に保持されて端子群を下方へ突出させており、回路基板に設けられた接地パターンは枠体や仕切り板と導通させてある（例えば、特許文献１参照）。そして、枠体の下端部に垂設された複数の取付脚をマザーボードに固定すると共に、端子群をマザーボード側の外部回路に接続することによって、この種のチューナ装置はマザーボード上に実装され、ＲＦコネクタには同軸ケーブル等が接続される。これにより、ＲＦコネクタを介して受信信号が回路基板のチューナ回路等へ供給され、このチューナ回路等で処理された信号がマザーボード側の外部回路へ供給されるようになっている。
【先行技術文献】
【特許文献】
【０００３】
【特許文献１】特開平１０−１６３６６８号公報
【発明の概要】
【発明が解決しようとする課題】
【０００４】
ところで、チューナ装置のシールドケースの枠体には回路基板を保持するための切欠きや孔が複数個所に形成されているため、これら切欠きや孔を介して電磁ノイズの飛び込みや飛び出しが生じることは避けられない。それゆえ、マザーボード上でチューナ装置の近傍に他の高周波ユニットが実装されるような場合には、チューナ装置を通常よりも厳重にシールドして電磁ノイズの飛び込みや飛び出しを確実に防止することが望まれる。このような要望に応えるために、マザーボード上に設置したチューナ装置のシールドケースを別のシールドケース（アウターケース）で完全に覆ってしまうことが考えられるが、シールドケースの一側板にＲＦコネクタが突設されているチューナ装置に適用可能なアウターケースには該ＲＦコネクタを挿通させるための貫通孔が必要なので、金属板を箱形にフォーミングしたアウターケースをシールドケースに被せることはできず、結局、シールドケースを部分的に覆う複数の部材（例えば２部材）を組み合わせて箱形のアウターケースとなすことが現実的な対応と思われる。しかしながら、アウターケースが複数の部材を組み合わせた構成になっていると、これら複数の部材どうしを連結したり、これら複数の部材をシールドケースに取り付ける作業が煩雑になりやすいため、アウターケースの追加によってチューナ装置が高コスト化しやすいという問題を生じてしまう。
【０００５】
本発明は、このような従来技術の実情に鑑みてなされたものであり、その目的は、極めて高いシールド効果を安価に実現できるチューナ装置のシールド構造を提供することにある。
【課題を解決するための手段】
【０００６】
上記の目的を達成するために、本発明は、チューナ回路が設けられた回路基板と、この回路基板を収納して保持する板金製のシールドケースと、このシールドケースの一側板に固着されて外方へ突出すると共に前記チューナ回路と電気的に接続されたＲＦコネクタとを備えたチューナ装置のシールド構造において、前記シールドケースをその下面部および前記一側板を除いて覆う板金製のケース部材と、前記ＲＦコネクタを貫通させる貫通孔を有して前記シールドケースの前記一側板を覆う板金製のプレート部材とを連結してなる箱形のアウターケースを備え、このアウターケースを前記シールドケースに一体化させるという構成にした。
【０００７】
このようにケース部材とプレート部材とを連結してなる板金製のアウターケースは、貫通孔にＲＦコネクタを挿通させたプレート部材をシールドケースの一側板に重ね合わせて容易に取り付けることができると共に、プレート部材とは逆側からシールドケースに外挿したケース部材を該プレート部材に容易に連結させて箱形のアウターケースとなすことができるため、シールド効果を顕著に高めることのできるアウターケースの連結作業やシールドケースへの取付作業を簡便に行うことができる。
【０００８】
上記の構成において、シールドケースにはＲＦコネクタが固着された一側板に隣接する側板の長手方向両端に取付片が突設されており、プレート部材に設けられた第１のスリットに一方の取付片を挿通してかしめることによって該プレート部材とシールドケースとが一体化されていると共に、ケース部材に設けられた第２のスリットに他方の取付片を挿通してかしめることによって該ケース部材とシールドケースとが一体化されていると、プレート部材やケース部材をシールドケースに取り付ける際の作業性が大幅に向上するため好ましい。この場合において、シールドケースが取付片の基端部の上縁近傍と下縁近傍にそれぞれ規制突片を有し、これら規制突片が第１のスリットまたは第２のスリットの上下両端部に係合可能に挿入されていると、シールドケースに対してプレート部材やケース部材を高い位置精度で取り付けることができるのみならず、取付片をかしめる際に懸念されるシールドケースの不所望な変形が防止できるため、一層好ましい。
【０００９】
また、上記の構成において、ケース部材にはプレート部材に隣接して配置される側板の長手方向一端に連結片が突設されており、プレート部材に設けられた第３のスリットに連結片を挿通してかしめることによって該プレート部材とケース部材とが連結されていると、ケース部材とプレート部材とを連結してアウターケースとなす際の作業性が大幅に向上するため好ましい。この場合において、ケース部材が連結片の基端部の上縁近傍と下縁近傍にそれぞれ規制突片を有し、これら規制突片が第３のスリットの上下両端部に係合可能に挿入されていると、ケース部材とプレート部材とが高い位置精度で連結できるのみならず、連結片をかしめる際に懸念されるケース部材の不所望な変形を防止できるため、一層好ましい。
【００１０】
また、上記の構成において、アウターケースの下端部に複数の脚片を垂設し、これら脚片がマザーボードに固定されるようにしてあると、予め一体化されているシールドケースとアウターケースをマザーボードに容易かつ確実に取り付けることができるため好ましい。この場合において、シールドケースの下端部にも同様の脚片を垂設し、シールドケースとアウターケースの各脚片をマザーボードに固定してもよいが、シールドケース側には脚片を垂設せず、シールドケースとアウターケースの一体品がアウターケースの脚片のみによってマザーボードに固定されるようにすると、外来妨害信号がシールドケース側の脚片を経路としてチューナ回路に侵入しなくなるため、外来信号妨害（イミュニティ）が悪化することを抑制できる。
【００１１】
また、上記の構成において、アウターケースの下端部に内方へ折り曲げられた平坦部を形成し、マザーボード側の接地パターン上に該平坦部が搭載されるようにしてあると、チューナ装置のグラウンドが強化されるため好ましい。
【００１２】
また、上記の構成において、プレート部材の貫通孔の周縁部をＲＦコネクタにかしめつけると共に、該貫通孔の周縁部とＲＦコネクタとを半田接合しておけば、貫通孔の周縁部とＲＦコネクタとの間の隙間を完全に塞ぐことができるため、シールド効果を一層高めることができる。
【発明の効果】
【００１３】
本発明によるチューナ装置のシールド構造では、貫通孔にＲＦコネクタを挿通させた板金製のプレート部材をシールドケースの一側板に重ね合わせて容易に取り付けることができると共に、プレート部材とは逆側からシールドケースに外挿した板金製のケース部材を該プレート部材に容易に連結させて箱形のアウターケースとなすことができるため、アウターケースの連結作業やシールドケースへの取付作業を簡便に行うことができる。それゆえ、かかるアウターケースを備えたチューナ装置は、シールド効果が極めて高くて信頼性に富むシールド構造を安価に実現することができる。
【図面の簡単な説明】
【００１４】
【図１】本発明の実施形態例に係るチューナ装置を斜め上方から見た外観図である。
【図２】該チューナ装置の図１に対応する分解斜視図である。
【図３】該チューナ装置を斜め下方から見た外観図である。
【図４】該チューナ装置の図３に対応する分解斜視図である。
【図５】該チューナ装置を図１とは異なる角度から見た外観図である。
【図６】図５のＡ部におけるアウターケースの取付構造を示す説明図である。
【図７】本発明の他の実施形態例に係るチューナ装置をマザーボードに取り付けた状態を示す説明図である。
【発明を実施するための形態】
【００１５】
以下、本発明の実施形態例を図１〜図６を参照しつつ説明する。これらの図に示すチューナ装置は、チューナ回路が設けられた回路基板２をシールドケース３に収納・保持してユニット化したチューナユニット１と、板金製のシールドケース３を覆う板金製のアウターケース１０とによって構成されており、チューナユニット１にはＲＦコネクタ４が横向きに突設されている。また、アウターケース１０はケース部材１１とプレート部材１２とを連結して箱形に形成されている。
【００１６】
まず、チューナユニット１の構成について説明する。シールドケース３は、矩形状に組み立てられた枠体（シールド枠）５と、この枠体５の内部空間を仕切る図示せぬ仕切り板（シールド板）と、枠体５の上部開口を蓋閉する上カバー６と、枠体５の下部開口を蓋閉する下カバー７とによって構成されており、枠体５と仕切り板は１枚の金属板を折り曲げて形成されている。枠体５の下端部には複数の取付脚５ｄが垂設されており、これら取付脚５ｄを図示せぬマザーボードに固定することによって枠体５が該マザーボードに取り付けられるようになっている。また、枠体５の一側板５ａにはＲＦコネクタ４がかしめ固定されたうえで半田接合されている。この枠体５には、一側板５ａに隣接して長手方向に延びる側板の長手方向一端側（ＲＦコネクタ４側）と他端側にそれぞれ取付片５ｂが突設されており、各取付片５ｂの基端部の上縁近傍と下縁近傍には規制突片５ｃ（図６参照）が形成されている。なお、ＲＦコネクタ４には同軸ケーブル等が接続され、このＲＦコネクタ４を介して回路基板２のチューナ回路等に受信信号が供給されるようになっている。
【００１７】
回路基板２は枠体５や仕切り板に保持されており、回路基板２に設けられた接地パターンが枠体５や仕切り板と導通させてある。また、回路基板２から導出された端子８群が下方へ突出しており、これら端子８群はマザーボード側の外部回路に接続されるようになっている。
【００１８】
アウターケース１０はシールドケース３に取り付けられた段階で箱形に組み立てられる。すなわち、このアウターケース１０は、シールドケース３を下カバー７および一側板５ａを除いて覆う板金製のケース部材１１と、ＲＦコネクタ４を貫通させる貫通孔１２ａを有して一側板５ａを覆う板金製のプレート部材１２とを連結したものである。ケース部材１１には、長手方向一端側（プレート部材１２側）の２個所に連結片１１ａが突設されていると共に、他端側の２個所にスリット１１ｂが穿設されており、各連結片１１ａの基端部の上縁近傍と下縁近傍には規制突片１１ｃが形成されている。また、ケース部材１１の下端部には複数個所に内方へ折り曲げられた平坦部１１ｄが形成されていると共に、複数の脚片１１ｅが垂設されている。一方、プレート部材１２には、枠体５の長手方向一端側の取付片５ｂと対応する２個所にスリット１２ｂが穿設されていると共に、ケース部材１１の連結片１１ａと対応する２個所にスリット１２ｃが穿設されている。後述するように、ＲＦコネクタ４側に突出する取付片５ｂはスリット１２ｂに挿入した状態でかしめつけられるが、このスリット１２ｂに対して規制突片５ｃが係合可能に挿入されるようになっている。同様に、連結片１１ａはスリット１２ｃに挿入した状態でかしめつけられるが、このスリット１２ｃに対して規制突片１１ｃが係合可能に挿入されるようになっている。また、プレート部材１２の下端部には複数個所に内方へ折り曲げられた平坦部１２ｄが形成されていると共に、複数の脚片１２ｅが垂設されている。
【００１９】
このアウターケース１０を組み立てる際には、まず、プレート部材１２の貫通孔１２ａにチューナユニット１のＲＦコネクタ４を挿通させると共に、スリット１２ｂに枠体５の長手方向一端側の取付片５ｂを挿入させて、シールドケース３の一側板５ａにプレート部材１２を重ね合わせる。その際、取付片５ｂの基端部の上縁近傍と下縁近傍に設けられている規制突片５ｃがそれぞれスリット１２ｂの上端部と下端部に係合可能に挿入されるため、シールドケース３に対してプレート部材１２を高い位置精度で取り付けることができる。しかる後、取付片５ｂを捩ってプレート部材１２にかしめつける（図１参照）が、このかしめ作業時には、規制突片５ｃがスリット１２ｂの上下両端部に係合して位置規制されるため、シールドケース３が不所望に変形する虞はない。
【００２０】
こうしてプレート部材１２をシールドケース３に取り付けた後、ケース部材１１をプレート部材１２とは逆側からシールドケース３に外挿していき、連結片１１ａをプレート部材１２のスリット１２ｃに挿入させると共に、スリット１１ｂに枠体５の長手方向他端側の取付片５ｂを挿入させる。その際、連結片１１ａの近傍に設けられている規制突片１１ｃがスリット１２ｃの上端部と下端部に係合可能に挿入されるため、プレート部材１２に対してケース部材１１を高い位置精度で連結することができる。また、枠体５の長手方向他端側の取付片５ｂの近傍に設けられている規制突片５ｃが、図６に示すように、スリット１１ｂの上端部と下端部に係合可能に挿入されるため、シールドケース３に対してケース部材１１を高い位置精度で取り付けることができる。しかる後、連結片１１ａを捩ってプレート部材１２にかしめつける（図１参照）と共に、取付片５ｂを捩ってケース部材１１の一側板にかしめつける（図５参照）ことにより、アウターケース１０がシールドケース３に外套体として一体化されることになる。なお、連結片１１ａをかしめる際には、規制突片１１ｃがスリット１２ｃの上下両端部に係合して位置規制されるため、ケース部材１１が不所望に変形する虞はない。同様に、取付片５ｂをかしめる際には、規制突片５ｃがスリット１１ｂの上下両端部に係合して位置規制されるため、シールドケース３が不所望に変形する虞はない。
【００２１】
最後に、プレート部材１２の貫通孔１２ａの周縁部をＲＦコネクタ４をにかしめつけ、さらに該貫通孔１２ａの周縁部とＲＦコネクタ４とを半田接合することによって、貫通孔１２ａの周縁部とＲＦコネクタ４との間の隙間を完全に塞ぐ。このようにしてチューナユニット１にアウターケース１０（ケース部材１１およびプレート部材１２）が取り付けられると、図１や図３に示すチューナ装置が完成する。
【００２２】
そして、このチューナ装置を図示せぬマザーボードへ実装する際には、シールドケース３（枠体５）の各取付脚５ｄとアウターケース１０の各脚片１１ｅ，１２ｅをそれぞれマザーボード側の対応する挿入孔に挿入して固定し、かつ、チューナユニット１の各端子８をマザーボード側の外部回路に接続する。これにより、予め一体化されているシールドケース３とアウターケース１０を容易かつ確実にマザーボードに取り付けることができると共に、アウターケース１０の各平坦部１１ｄ，１２ｄをマザーボードの上面の所定領域に搭載させることができる。それゆえ、この搭載領域にマザーボード側の接地パターンを配設しておけば、チューナ装置のグラウンドを強化することができる。こうしてマザーボード上に実装したチューナ装置は、切欠きや孔が複数個所に形成されているシールドケース３の枠体５をアウターケース１０が完全に覆っているため、電磁ノイズの飛び込みや飛び出しを防止するシールド効果が極めて高い。
【００２３】
以上説明したように本実施形態例に係るチューナ装置は、貫通孔１２ａにＲＦコネクタ４を挿通させたプレート部材１２を枠体５の一側板５ａに重ね合わせてシールドケース３に容易に取り付けることができると共に、プレート部材１２とは逆側からシールドケース３に外挿したケース部材１１を該プレート部材１２に容易に連結させて箱形のアウターケース１０となすことができるため、アウターケース１０の連結作業やシールドケース３への取付作業を簡便に行うことができる。すなわち、ケース部材１１とプレート部材１２とを連結する際には、規制突片１１ｃで位置規制しつつ連結片１１ａをスリット１２ｃに挿入して捩るだけでよいため、作業性が良好で位置ずれや不所望な変形を効果的に防止できる。同様に、ケース部材１１やプレート部材１２をシールドケース３に取り付ける際には、規制突片５ｃで位置規制しつつ取付片５ｂをスリット１１ｂやスリット１２ｂに挿入して捩るだけでよいため、作業性が良好で位置ずれや不所望な変形を効果的に防止できる。それゆえ、かかるアウターケース１０を備えたチューナ装置は、シールド効果が極めて高くて信頼性に富むシールド構造を安価に実現することができる。
【００２４】
また、本実施形態例に係るチューナ装置は、チューナユニット１に横向きに突設されているＲＦコネクタ４をプレート部材１２の貫通孔１２ａの周縁部にかしめつけて半田接合しているため、貫通孔１２ａの周縁部とＲＦコネクタ４との間の隙間が完全に塞がれた状態になってシールド効果が一層高まっていると共に、ＲＦコネクタ４の取付強度が高まっている。
【００２５】
なお、上記実施形態例に係るチューナ装置では、シールドケース３（枠体５）の各取付脚５ｄとアウターケース１０の各脚片１１ｅ，１２ｅをそれぞれマザーボード側の対応する挿入孔に挿入して固定する場合について説明したが、図７に示すように、シールドケース３側の取付脚を削除することにより、シールドケース３とアウターケース１０の一体品をアウターケース１０側の各脚片１１ｅ，１２ｅのみによってマザーボード１３に取り付けるようにしてもよい。このようにすると、外来妨害信号がシールドケース３側の取付脚を経路としてチューナ回路に侵入しなくなるため、外来信号妨害（イミュニティ）が悪化することを抑制できる。
【符号の説明】
【００２６】
１  チューナユニット
２  回路基板
３  シールドケース
４  ＲＦコネクタ
５  枠体
５ａ  一側板
５ｂ  取付片
５ｃ  規制突片
６  上カバー
７  下カバー
８  端子
１０  アウターケース
１１  ケース部材
１１ａ  連結片
１１ｂ  スリット（第２のスリット）
１１ｃ  規制突片
１１ｄ  平坦部
１１ｅ  脚片
１２  プレート部材
１２ａ  貫通孔
１２ｂ  スリット（第１のスリット）
１２ｃ  スリット（第３のスリット）
１２ｄ  平坦部
１２ｅ  脚片
１３  マザーボード
【図１】
2010225655.tif 000003
【図２】
2010225655.tif 000004
【図３】
2010225655.tif 000005
【図４】
2010225655.tif 000006
【図５】
2010225655.tif 000007
【図６】
2010225655.tif 000008
【図７】
2010225655.tif 000009